(57)【要約】  本発明は、プリント回路基板（１４）と、プリント回路基板（１４）から距離を置いて配置されたアンテナ構造体（１２；４２；４４）とを備える携帯機器用の、アンテナアセンブリに関し、アンテナ構造体（１２；４２；４４）は、アンテナ構造体（１２；４２；４４）とプリント回路基板（１４）との間に延在する複数の導電性フィラメント（２４）および絶縁性構造体を含む少なくとも１つのエラストマコネクタ（２０）によって、プリント回路基板（１４）に電気的に接続される。【選択図】図２
2016504579.tif 000002
【特許請求の範囲】
【請求項１】
プリント回路基板（１４）と、前記プリント回路基板（１４）から距離を置いて配置されたアンテナ構造体（１２；４２；４４）とを備える携帯機器用の、アンテナアセンブリであって、
前記アンテナ構造体（１２；４２；４４）は、該アンテナ構造体（１２；４２；４４）と前記プリント回路基板（１４）との間に延在する複数の導電性フィラメント（２４）および絶縁性構造体を含む少なくとも１つのエラストマコネクタ（２０）によって、前記プリント回路基板（１４）に電気的に接続されており、
前記アンテナ構造体（１２；４２；４４）は、平面基板（１８）上に導電性コーティングを有し、
前記平面基板上で、前記アンテナ構造体の近傍に、導電性コーティングを有する少なくとも１つのセンサ部品（２８）がさらに設けられており、
前記エラストマコネクタは、さらに前記少なくとも１つのセンサ部品を、前記プリント回路基板に接続している、アンテナアセンブリ。
【請求項２】
前記エラストマコネクタ（２０）は、絶縁性エラストマ材に埋め込まれて規則的に配列された複数の導電性フィラメント（２４）を含む、請求項１に記載のアンテナアセンブリ。
【請求項３】
前記エラストマコネクタ（２０）は、交互の導電材と絶縁材のゴム質化層を含む、先行する請求項のいずれか１つに記載のアンテナアセンブリ。
【請求項４】
前記アンテナ構造体（１２；４２；４４）および／または前記プリント回路基板（１４）は、前記少なくとも１つのエラストマコネクタ（２０）の横方向の広がりよりも小さい断面を有する少なくとも１つの接続部（２６，３６）を備える、先行する請求項のいずれか１つに記載のアンテナアセンブリ。
【請求項５】
前記エラストマコネクタ（２０）は、前記アンテナ構造体（１２；４２；４４）と前記プリント回路基板（１４）との間に延在するスペーサ構造体（２２）の中に組み込まれている、先行する請求項のいずれか１つに記載のアンテナアセンブリ。
【請求項６】
少なくとも２つの別々のエラストマコネクタ（２０）が設けられており、その各々は、前記アンテナ構造体（１２；４２；４４）と前記プリント回路基板（１４）の第１と第２の接続部（２６，３６）のそれぞれの間に延在する、請求項４に記載のアンテナアセンブリ。
【請求項７】
前記エラストマコネクタ（２０）の前記導電性フィラメント（２４）は、５０μｍ〜１５０μｍの間の直径を有し、
隣接して配置される導電性フィラメント（２４）は、少なくとも７０μｍ〜１５０μｍの距離で、または約１００μｍの距離で、相互に離間している、先行する請求項のいずれか１つに記載のアンテナアセンブリ。
【請求項８】
前記エラストマコネクタ（２０）の前記導電性フィラメント（２４）は、予め規定されたアンテナ設計に適合するように、前記アンテナ構造体（１２）を補完するように構成されている、先行する請求項のいずれか１つに記載のアンテナアセンブリ。
【請求項９】
前記エラストマコネクタ（２０）の前記フィラメント（２４）は、前記プリント回路基板（１４）の平面および／または前記アンテナ構造体（１２；４２；４４）基板の平面に対して略垂直に延在する、先行する請求項のいずれか１つに記載のアンテナアセンブリ。
【請求項１０】
前記平面基板（１８）は、時計ガラスである、先行する請求項のいずれか１つに記載のアンテナアセンブリ。
【請求項１１】
前記アンテナ構造体（１２；４２；４４）は、モノポールアンテナまたは板状逆Ｆアンテナ（１２；４２；４４）を含む、先行する請求項のいずれか１つに記載のアンテナアセンブリ。
【請求項１２】
前記アンテナ構造体（１２；４２；４４）は、時計ガラス（１８）の内側部分に設けられた透明導電性酸化物コーティングを含む、先行する請求項のいずれか１つに記載のアンテナアセンブリ。
【請求項１３】
前記少なくとも１つのさらなるセンサ部品は、タッチセンサ構造体（２８）である、先行する請求項１０〜１２のいずれか１つに記載のアンテナアセンブリ。
【請求項１４】
ムーブメントとハウジングとを備える時計であって、先行する請求項のいずれか１つに記載のアンテナアセンブリ（１０）をさらに備える、時計。
【発明の詳細な説明】
【技術分野】
【０００１】
本発明は、時計用のアンテナアセンブリに関し、特に無線周波数（ＲＦ）信号を受信するためのアンテナアセンブリに関するものである。
【背景技術】
【０００２】
携帯電話機、タブレットコンピュータなどの携帯機器、または腕時計などの時計において、ＲＦアンテナを実装することは、非常に煩雑かつ複雑である。特に携帯機器のハウジングが金属製であるか、またはステンレス鋼のような金属部品を含んでいる場合、ハウジングは効果的にファラデーケージとして機能し得るので、金属製ハウジング内にアンテナを配置することは若干問題がある。
【発明の概要】
【発明が解決しようとする課題】
【０００３】
例えば時計ガラス上であるカバーガラス上にアンテナを設けるための、いくつかのアプローチが既に存在する。しかし、この場合、アンテナとプリント回路基板（ＰＣＢ）との間の電気的接続は、アンテナアセンブリの高周波数またはＲＦ周波数挙動から考えて不利であり得る。ＰＣＢとアンテナとの間の相互接続は、この種の配線によってアンテナアセンブリのインピーダンスおよび信号受信性能を損傷または劣化させる可能性があるため、かなり影響を受け易い。
【０００４】
さらには、時計または個々の携帯機器を組み立てる際に、アンテナをＰＣＢと接続することは、極めて複雑かつ煩雑かつ繊細なことである。特に大量生産プロセスでは、一定の品質でアンテナ−ＰＣＢ配線を製造することは非常に難しい。
【課題を解決するための手段】
【０００５】
そこで、本発明の目的は、携帯機器用のプリント回路基板（ＰＣＢ）を備えた、改良されたアンテナアセンブリを提供することである。特に、本発明は、アンテナ構造体とＰＣＢとの間の明確に規定された相互接続を提供するものでなければならず、これにより、それらの間の電気的相互接続が簡単かつ直観的かつ精密に可能となる。さらに、本発明は、携帯機器のハウジング内にアンテナおよびＰＣＢを配置するときの、ある程度の個別の不整合を許可および許容する高冗長性アンテナアセンブリを提供するように適応している。さらなる態様において、本発明は、特に腕時計である時計などの携帯機器におけるアンテナ構造体とＰＣＢのための、コスト効率および耐久性の高い相互接続を提供することを目的とする。
【０００６】
第１の態様では、本発明は、携帯機器用の、特に時計用のアンテナアセンブリに関する。携帯機器は、プリント回路基板（ＰＣＢ）を備える。アンテナアセンブリは、プリント回路基板から距離を置いて配置されたアンテナ構造体を有する。アンテナ構造体は、アンテナ構造体とＰＣＢとの間に延在する複数の導電性フィラメントおよび絶縁性フィラメントを含む少なくとも１つのエラストマコネクタによって、ＰＣＢに電気的に接続される。
【０００７】
一般にゼブラコネクタとも呼ばれる少なくとも１つのエラストマコネクタによって、高冗長性かつ弾性でありながら精密な、ＰＣＢとアンテナ構造体との間の電気的相互接続を提供することができる。この少なくとも１つのエラストマコネクタを用いることにより、アンテナ構造体とＰＣＢの個々の接続部を、エラストマコネクタの複数の導電性フィラメントによって電気的に接続することができる。
【０００８】
このようにして、効率的でありながら、公差を補償するとともに高信頼性の、アンテナ構造体とＰＣＢとの間の電気的相互接続を提供することができる。
【０００９】
典型的には、エラストマコネクタは、ＰＣＢとアンテナ構造体の個々の接続部を、単にそれらの間に挟まれることによって、それぞれ直接的に相互接続する。従って、アンテナ構造体とＰＣＢとの間の電気的相互接続は、アンテナ構造体とＰＣＢの好ましくは平坦な面の間に少なくとも１つのエラストマコネクタを配置することによって、かなり簡単に得ることができる。
【００１０】
この場合、アンテナ構造体、ＰＣＢ、およびそれらの間に延在するエラストマコネクタを相互に当接した構成に維持するように、ケーシング、ハウジング、またはカバーガラスのような周囲の構成部品が機械的に係合していると、さらに効果的である。このようにして、高信頼性かつロバストでありながら耐久性の高い、アンテナ構造体とＰＣＢとの間の電気的相互接続を提供することができる。
【００１１】
好ましい実施形態では、エラストマコネクタは、絶縁性エラストマ材に埋め込まれて規則的に配列された多数の導電性フィラメントを含む。この場合、絶縁材は、絶縁性フィラメントのみを含むものではないことがあり、多数の導電性フィラメントがその中に貫通して延在するバルク材構造体を含み得る。エラストマ材は、天然または合成ゴム材料系のものとすることができ、一方、導電性要素は、銀フィラメントまたは金フィラメントを含むことができる。また、導電性要素は、銅または合金など、同等の導電性を有することを特徴とする他の何らかの種類の導電性材料で構成することも想定できる。
【００１２】
典型的には、導電性フィラメントは、互いに平行に延在しており、ＰＣＢおよび／またはアンテナ構造体の平面に対して略垂直な向きとすることができる。このようにして、エラストマコネクタの全長を最小限に保つことができる。好ましくは、エラストマコネクタは、内在的冗長性を提供するために、複数の導電性フィラメントを含む。
【００１３】
ＰＣＢまたはアンテナ構造体のいずれかとの相互接続構成において、多数の導電性フィラメントのうちの少なくとも一部が、ＰＣＢまたはアンテナ構造体のいずれかの個々の接続部と直接的に機械的接触ひいては電気的接触すれば十分である。このようにして、携帯機器または時計のハウジング内部で、アンテナ構造体の、ＰＣＢの、さらにはそれらの相互配置の幾何公差を、容易に補償することができる。
【００１４】
別の好ましい実施形態によれば、エラストマコネクタは、交互の導電材と絶縁材のゴム質化層を含む。エラストマコネクタがゴム質化層を含むことから、エラストマコネクタ全体によって、ある程度の可撓性を提供することができ、これにより、緩衝用途および耐振用途において、エラストマコネクタを容易に実現することができる。一般に、エラストマコネクタは、かなり過酷な環境用に、さらにアンテナ構造体とＰＣＢとの間にガスケット状のシールを形成するものであってもよい。
【００１５】
エラストマコネクタの導電性フィラメントの各々は、相対する両端でアンテナ構造体とＰＣＢに接続される電路を提供する。
【００１６】
別の好ましい実施形態では、アンテナ構造体および／またはＰＣＢは、それらの間に延在する少なくとも１つのエラストマコネクタの横方向の広がりよりも十分に小さい断面を有する少なくとも１つの接続部を備える。本文脈では、横方向の広がりとは、アンテナ構造体とＰＣＢとの間の距離に略垂直に、またはエラストマコネクタの導電性フィラメントの長さに略垂直に延びる方向を指す。
【００１７】
エラストマコネクタの横方向の広がりは、ＰＣＢまたはアンテナ構造体の上記少なくとも１つの接続部よりも十分に大きいので、アンテナ構造体、ＰＣＢ、エラストマコネクタの相互のアライメントに関して、ある程度の空間的不整合および横方向の不整合を容易に補償することができる。
【００１８】
ＰＣＢとアンテナ構造体の接続部の間に延在するエラストマコネクタの導電性フィラメントのみが、それらの間の電気的相互接続を提供する役目を果たし、一方、エラストマコネクタの他の冗長フィラメントは、ＰＣＢまたはアンテナ構造体のいずれかの接続部の外に配置され得る。上記少なくとも１つのエラストマコネクタの横方向の断面すなわち横断面は、ＰＣＢおよび／またはアンテナ構造体の接続部の横方向のサイズまたは断面よりも大きくすることができるので、エラストマコネクタが若干オフセットして配置された場合であっても、依然としてＰＣＢまたはアンテナ構造体の個々の接続部とそれぞれ少なくとも部分的にオーバラップしていれば、ＰＣＢとアンテナ構造体との間の十分な電気的相互接続が、何らかの形で提供される。
【００１９】
さらに好ましい実施形態では、エラストマコネクタは、アンテナ構造体とＰＣＢとの間に延在するスペーサ構造体の中に組み込まれる。スペーサ構造体は、例えば環状形状を有することができ、ＰＣＢとアンテナ構造体との間の空間を充填するか、または取り囲むことができる。従って、スペーサ構造体は、ＰＣＢとアンテナ構造体との間の間隙を効果的に埋めることができる。
【００２０】
また、スペーサは、エラストマコネクタに対して十分な安定性および剛性を与えることができる。特にエラストマコネクタをスペーサ構造体に埋め込むことにより、スペーサ構造体自体によって、アンテナ構造体とＰＣＢとの間の電気的相互接続を提供することができる。好ましくは、スペーサ構造体は、天然または合成ゴムのようなエラストマ材を含み、それは、エラストマコネクタにおいてその導電性フィラメント間に延在するエラストマ材と同じものであっても、または異なるものであってもよい。
【００２１】
スペーサ構造体にエラストマコネクタを埋め込むことは、ＰＣＢとアンテナ構造体との間にエラストマコネクタを組み付けるために、特に有効である。この点において、必要なことは、アンテナ構造体およびＰＣＢの接続部とそれぞれ少なくとも部分的にオーバラップするように、ＰＣＢとアンテナ構造体との間でスペーサ構造体の向きを明確な形で定めることのみである。
【００２２】
別の実施形態によれば、アンテナアセンブリは、少なくとも２つの別々のエラストマコネクタを有し、その各々は、アンテナ構造体とＰＣＢの第１と第２の接続部のそれぞれの間に延在する。
【００２３】
追加的または代替的に、２つの別々のエラストマコネクタは、１つの拡張されたエラストマコネクタ構造体に組み込むことができる。エラストマコネクタの多くの略平行な向きの導電性フィラメントは、電気的に絶縁されているので、エラストマコネクタは、別々の導電性フィラメントによって、アンテナ構造体とＰＣＢの接続部の間で、単に冗長な複数の電気的相互接続を提供する。
【００２４】
実際の状況では、アンテナ構造体またはＰＣＢの接続部から側方または横方向にオフセットして配置されるエラストマコネクタのフィラメントには、何も機能はなく、従って完全に冗長なものである。しかしながら、この冗長性は、最終的な空間的製造公差または組み立て公差を補償するという点で、特に効果的である。
【００２５】
別の実施形態では、導電性フィラメントは、５０μｍ〜１５０μｍの間の直径を有する。好ましくは、導電性フィラメントの直径は、８０μｍ〜１２０μｍの範囲であり、より好ましくは、フィラメントの直径は、約１００μｍとすることができる。さらに、エラストマコネクタの互いに隣接して配置される導電性フィラメントは、少なくとも７０μｍの距離で相互に離間しており、好ましくは少なくとも１００μｍの距離で、または少なくとも１３０μｍ、１５０μｍ、もしくはさらに大きい距離で、相互に離間している。
【００２６】
このようにして、数ミリメートルの範囲内またはさらに１ミリメートル未満の範囲内の断面または直径を有することを特徴とする、アンテナ構造体とＰＣＢの選択された接続部を相互接続することを可能とする、離間および電気絶縁したフィラメントからなる、かなり高密度の充填構造を提供することができる。
【００２７】
さらなる実施形態では、エラストマコネクタの導電性フィラメントは、アンテナ構造体の一部を成している。好ましくは平面状であるアンテナ構造体とＰＣＢとの間の距離は、アンテナのインピーダンスまたは高周波数挙動の点から無視できない場合があるので、予め規定されたアンテナ設計に適合するようにアンテナ構造体とエラストマコネクタの全体的な幾何学的設計および電気設計を相互に補完させると、特に効果的である。
【００２８】
このようにして、エラストマコネクタは、略平面状のアンテナ構造体と共に、時計などの携帯機器用のアンテナアセンブリを構成することができる。
【００２９】
さらに好ましい実施形態では、エラストマコネクタのフィラメントは、ＰＣＢの平面および／またはアンテナ構造体の平面に対して略垂直に延在する。この構成では、アンテナ構造体とＰＣＢの相互に対応する接続部は、それぞれＰＣＢとアンテナ構造体の面法線に沿って見たときに略オーバラップしている。
【００３０】
エラストマコネクタの導電性フィラメントを、ＰＣＢおよび／またはアンテナ構造体の平面に対して略垂直な向きとすることにより、エラストマコネクタの全長を最小限に保つことができる。
【００３１】
あるいは、エラストマコネクタのフィラメントは、ＰＣＢまたはアンテナ構造体の面法線に対して特定または所定の角度で延在することも想定できる。このような構成では、さらに、エラストマコネクタは、ＰＣＢまたはアンテナ構造体の平面に対して垂直な方向に見たときに部分的にのみオーバラップしているか、または全くオーバラップしていないＰＣＢとアンテナ構造体の接続部を電気的に相互接続するように機能することまでも想定できる。
【００３２】
別の態様によれば、アンテナ構造体は、カバーガラスまたは時計ガラスで形成された平面基板上にコーティングされる。例えばサファイアを含むか、またはサファイアで構成されたカバーガラスまたは時計ガラス上に、略透光性または透明なアンテナを設けることにより、そのアンテナは、携帯機器の例えばハウジングの金属領域外に効果的に配置することができる。好ましくは、アンテナ構造体は、カバーガラスまたは時計ガラスの内向き部分にラミネートまたはコーティングされ、例えばスパッタリングされる。
【００３３】
別の実施形態によれば、アンテナ構造体は、モノポールアンテナまたは板状逆Ｆアンテナ（ＰＩＦＡ：Ｐｌａｎａｒ Ｉｎｖｅｒｔｅｄ Ｆ−Ａｎｔｅｎｎａ）を含むことができる。モノポールアンテナとして実装される場合、平面基板を横切って延びるアンテナ構造体は、１つの接続部のみでＰＣＢに接続されることができ、一方、他のアンテナ部分は、例えば金属製の時計ケースの接地接続のように、ハウジング部品によって提供することができる。
【００３４】
さらに好ましい実施形態では、アンテナ構造体は、時計ガラスの内側部分にコーティングされた透明導電性酸化物（ＴＣＯ：Ｔｒａｎｓｐａｒｅｎｔ Ｃｏｎｄｕｃｔｉｖｅ Ｏｘｉｄｅ）構造体を含む。この場合、アンテナ構造体は、少なくとも可視スペクトル領域において略光透過性であり、従って、透明導電性酸化物（ＴＣＯ）層を含み得る。このため、アンテナ構造体は、インジウムスズ酸化物（ＩＴＯ：Ｉｎｄｉｕｍ Ｔｉｎ Ｏｘｉｄｅ）などの材料を含むことができる。
【００３５】
さらに別の実施形態によれば、アンテナ構造体が配置またはコーティングされる平面基板上に、さらに少なくとも１つのタッチセンサ構造体が設けられる。このようにして、例えば時計ガラス、例えばサファイア基板である平面基板は、アンテナ構造体のためだけではなく、さらには同様にＰＣＢに電気的に接続される他のセンサ部品のための基礎を提供することができる。従って、エラストマコネクタは、アンテナ構造体だけではなく、同じく平面基板上に設けられた追加のタッチセンサ構造体も、ＰＣＢに電気的に相互接続するように機能し得る。
【００３６】
さらなる別の態様において、さらに、本発明は、プリント回路基板を有することを特徴するムーブメントを備えるとともに、さらに上記のようなアンテナアセンブリを少なくとも１つ備える、携帯時計または時計に関する。
【００３７】
以下で、図面を参照して、本発明の好ましい実施形態について説明する。
【図面の簡単な説明】
【００３８】
【図１】図１は、第１の実施形態によるアンテナアセンブリの側面図を示している。
【図２】図２は、図１に従って構成されたアンテナの斜視図を示している。
【図３】図３は、アンテナ構造体の部分透過斜視図を示している。
【図４】図４は、アンテナ構造体とＰＣＢとの間に延在するエラストマコネクタの多くのフィラメントの拡大図を概略的に示している。
【図５】図５は、共通の平面基板上の追加のセンサ構造体と共にアンテナ構造体の平面図を概略的に示している。
【図６】図６は、モノポールアンテナを有することを特徴とするアンテナ構造体の他の実施形態を示している。
【発明を実施するための形態】
【００３９】
図１〜４の全体を通して、例えば図２に示すような逆Ｆアンテナなどのアンテナ構造体１２を有することを特徴とするアンテナアセンブリ１０を示している。アンテナ構造体１２は、基板１８の内向き部分にコーティングされた弧状構造体を含む。基板１８は、典型的には、特に時計である携帯機器のハウジングを封止するように機能するカバーガラスもしくは時計ガラスを構成することができ、またはそれとして実現することができる。基板は、例えば、サファイアもしくはハードコートガラスを含むことができ、またはそれで構成することができる。
【００４０】
図１〜４に示すように、アンテナアセンブリ１０は、スペーサ構造体２２をさらに有し、これによって、アンテナ構造体１２を搭載した基板１８を、個々の基板１６に配置されたプリント回路基板１４から、所定の距離に保つことができる。
【００４１】
好ましくは、エラストマコネクタ２０は、基板１８、１６の間に、相互に機械的に接触するようにして延在し、これにより、ＰＣＢの接続部２６とアンテナ構造体１２または３２の対応する接続部３６との間の電気的相互接続を提供する。スペーサ構造体２２によって、アンテナ構造体１２の基板１８と、ＰＣＢを提供する基板１６とを、所定の距離に保つことができる。
【００４２】
また、環状または円筒状のスペーサ構造体は、一般に、その中にエラストマコネクタ２０を効果的に埋め込むための役目を果たす任意の幾何学的形状を有することができる。従って、エラストマコネクタ２０または例えば図２〜４に示すような様々なエラストマコネクタ２０を、スペーサ構造体２２によって機械的に支持することができる。スペーサ構造体２２によって、基板１６と基板１８を、制約された配置に維持することができる。例えば、基板１６および／または基板１８の面法線方向に圧力または推力をかけることによって、これら２つの基板１６、１８を、明確に規定された向きに、かつ機械的に係合した構成に、維持することができる。
【００４３】
このとき、エラストマコネクタ２０または様々なエラストマコネクタ２０が、その形状ならびに導電性または電気絶縁性を効果的に維持し得るのは、スペーサ構造体２２によるものである。
【００４４】
図４に詳細に示すように、エラストマコネクタ２０は、相互に特定の距離を置いて配置された平面状の向きのアンテナ構造体１２とＰＣＢ１４との間に、略垂直に延在する多数の平行な向きのフィラメント２４を含む。
【００４５】
図４に詳細に示すように、実質的に、電気的にアクティブなフィラメント２４が存在し、これらは、ＰＣＢ上に設けられた接続部２６と、効果的にオーバラップするとともに、電気的かつ機械的に直接係合している。これらのアクティブなフィラメント２４の他に、プリント回路基板１４の２つの接続部２６の間の空間に延在する非アクティブすなわち冗長な多数の導電性フィラメント２４’が提供される。
【００４６】
スペーサ構造体２２の特定の側壁部にエラストマコネクタ２０を設けることにより、アンテナ構造体１２と、ＰＣＢ１４と、それらの間に延在するスペーサ構造体２２との間で位置的な不整合があっても、ある程度までは、効果的に許容され得る。このようにして、２つの基板１６、１８と、少なくとも１つのエラストマコネクタ２０をその中に有することを特徴とするスペーサ構造体２２との、かなり直観的かつ公差補償される相互の組み立てを容易とすることができる。
【００４７】
図５に、ＰＩＦＡアンテナ構造体１２の一例を提示しており、これは、径方向外向きに延出する２つの接続部３６を有することを特徴とし、それらの各々は、図４に示す例にあるようなＰＣＢ１４の対応する接続部２６に、個別に接続されるように構成されている。この場合、アンテナ構造体４２と、下に配置されているＰＣＢ基板１６との間に、少なくとも１つのエラストマコネクタ２０を配置することにより、アンテナ構造体４２の個々の接続部３６と基板１４の接続部２６とを、個別に相互接続することができる。
【００４８】
また、図５に示すようなアンテナ基板１８には、透明アンテナ構造体４２のみが設けられるのではない場合があり、いくつかのセンサ構造体２８をさらに備えることもでき、それらの各々には、アンテナ構造体４２の接続部３６に周方向に隣接して配置される個別の接続部３８が設けられる。
【００４９】
アンテナ構造体４２およびセンサ構造体２８の各種接続部３６、３８が配置される領域に一致または対応する外周に少なくとも沿った全体に、少なくとも１つのエラストマコネクタ２０を設けることにより、各種接続部３６、３８とＰＣＢとの複数の電気的相互接続を内在的に得ることができる。この場合、アンテナ基板１８と、ＰＣＢ１４が配置された基板１６との間に、単一のエラストマコネクタ２０を配置することにより、アンテナ基板１８上に設けられた各種構成部品３６、３８と、ＰＣＢ１４との、複数の個別に絶縁された相互接続を、単一ステップで確立することができる。
【００５０】
最後に、図６は、いくつかの径方向外向きに延出するローブを備えたモノポールアンテナを有することを特徴とする別のアンテナ構造体４４を示している。図６に示すように、アンテナ構造体を時計の構成と解釈すると、６時の方向を指している中央のローブは、下に配置されたＰＣＢ１４に電気的に接続される。この場合、アンテナ構造体４４は、好ましくは、モノポールアンテナとして実装され、アンテナの他の部品または他の部分は、典型的には、携帯機器のハウジングまたはハウジング部品によって、例えば時計のハウジングによって提供される。また、図６では、基板１８には、略透明なアンテナ構造体４２のみが設けられるのではなく、さらに一連のタッチセンサ２８を備える。
【００５１】
さらに、この場合、各種センサまたはセンサ部分２８は、それぞれの形状および寸法のエラストマコネクタ２０と電気的および／または機械的に係合するために、基板１８の径方向外側に配置されたリムに向かって延出する比較的繊細な導電性構造体を備える。
【符号の説明】
【００５２】
１０    アンテナアセンブリ
１２    アンテナ構造体
１４    プリント回路基板（ＰＣＢ）
１６    ＰＣＢの基板
１８    アンテナの基板
２０    エラストマコネクタ
２２    スペーサ構造体
２４    フィラメント
２６    接続部
２８    センサ構造体
３２    アンテナ構造体
３６    アンテナの接続部
３８    他のセンサの接続部
４２    アンテナ構造体
４４    アンテナ構造体
【図１】
2016504579.tif 000003
【図２】
2016504579.tif 000004
【図３】
2016504579.tif 000005
【図４】
2016504579.tif 000006
【図５】
2016504579.tif 000007
【図６】
2016504579.tif 000008
【国際調査報告】
2016504579.tif 000009
2016504579.tif 000010
2016504579.tif 000011